(57)【要約】【課題】極めて簡単な構造により、トレーに入れられた試験管の栓を連続して取り外すことができ、作業性を大幅に改善した試験管栓連続抜き取り装置を提供するものである。【解決手段】ロール状回転体１３の外周に、角柱状をなす複数個の突起部１を縦横方向に間隔をおいて整列して突設すると共に、前記角柱状突起部１３の先端のロール回転方向に爪部１０を突設し、フレーム１２の前後に、上面に凹部６を形成した栓９で密閉された試験管８を縦横に挿着したトレー７が通過する開口部１７Ａ、１７Ｂを形成し、前記ロール状回転体１３をフレーム７の内側上部に、水平に配置して回転自在に支持すると共に、前記突起部１が通過する間隔でスリット２３が形成された櫛歯状の栓分離板１４を、ロール状回転体１３のトレー侵入側の近傍に傾斜して取付け、ロール状回転体１３の下方に、トレーガイド１５を設けたものである。【選択図】  図１
0003114579.tif 000002
【実用新案登録請求の範囲】
【請求項１】
ロール状回転体の外周に、複数個の突起部を縦横方向に間隔をおいて整列して突設すると共に、前記突起部の先端のロール回転方向に爪部を突設し、フレームの前後に、上面に凹部を形成した栓で密閉された試験管を縦横に挿着したトレーが通過する開口部を形成し、前記ロール状回転体をフレームの内側上部に、水平に配置して回転自在に支持すると共に、前記突起部が通過する間隔でスリットが形成された櫛歯状の栓分離板を、ロール状回転体のトレー侵入側の近傍に傾斜して取付け、回転体の下方に、トレーガイドを設けたことを特徴とする試験管栓連続抜き取り装置。
【請求項２】
ロール状回転体の外周に突設した突起部が、角柱状に形成されていることを特徴とする請求項１記載の試験管栓連続抜き取り装置。
【請求項３】
栓分離板の下方に栓回収部を設けたことを特徴とする請求項１記載の試験管栓連続抜き取り装置。
【考案の詳細な説明】
【技術分野】
【０００１】
本考案は、試験管に取付けた栓を連続的に抜き取る装置に関するものである。
【背景技術】
【０００２】
一般に、臨床検査機関では、各医療機関で採取した血液や尿などの被検査液が入った多数の試験管を格子状に分離されたトレーに入れて持ち込まれる。この試験管には軟質のゴムやプラスチックで形成された栓が取付けられ、被検査液を密封した状態にして搬送されてくる。臨床検査機関では、この試験管に取付けた栓を取り外してから、被検査液を出して検査機械で検査している。１つのトレーに９０本以上の試験管が入っており、また試験管の内径も１０ミリ程度で、これに取り付ける栓も小さく、これら多数の栓を取外す作業は面倒であった。
【０００３】
このため、図５に示すように複数の角柱状をなす突起部１をＬ形本体２の底面に直線状に取付け、本体２の上部に取っ手３を取付け、この取っ手３に上下動自在にレバー４を取付け、この下端に、突起部１に沿って排除棒５を取付けた手動式の試験管栓抜き取り装置が使用されている。
【０００４】
これは図６に示すように格子状に分離されたトレー７に入れた試験管８の１列に、上方から１列に配置した突起部１を、上面に凹部６を形成した栓９内に押し込んで、回転させることにより、爪部１０で栓９が取り外されて突起部１に保持される。この後、レバー４を押すと排除棒５が突起部１に保持された栓９を一度に排除することができる。しかしながらこの手動式の装置では、トレーに縦横に挿着した試験管８の栓９は１列ずつしか取り外せないので、その作業が面倒であった。
【０００５】
このため、栓の両側から爪付きのレバーで挟んでシリンダーで持ち上げて自動的に抜き取る装置（特許文献１）も開発されているが、これも１列ずつしか栓を取り外せないので効率が悪く、しかも構造が複雑で高価な問題があった。
【特許文献１】特開平５−２２８３７９号公報
【考案の開示】
【考案が解決しようとする課題】
【０００６】
本考案は上記問題を改善し、極めて簡単な構造により、トレーに入れられた試験管の栓を連続して取り外すことができ、作業性を大幅に改善した試験管栓連続抜き取り装置を提供するものである。
【課題を解決するための手段】
【０００７】
本考案の請求項１記載の試験管栓連続抜き取り装置は、ロール状回転体の外周に、複数個の突起部を縦横方向に間隔をおいて整列して突設すると共に、前記突起部の先端のロール回転方向に爪部を突設し、フレームの前後に、上面に凹部を形成した栓で密閉された試験管を縦横に挿着したトレーが通過する開口部を形成し、前記ロール状回転体をフレームの内側上部に、水平に配置して回転自在に支持すると共に、前記突起部が通過する間隔でスリットが形成された櫛歯状の栓分離板を、ロール状回転体のトレー侵入側の近傍に傾斜して取付け、回転体の下方に、トレーガイドを設けたことを特徴とするものである。
【０００８】
本考案の請求項２記載の試験管栓連続抜き取り装置は、ロール状回転体の外周に突設した突起部が、角柱状に形成されていることを特徴とするものである。更に本考案の請求項３記載の試験管栓連続抜き取り装置は、栓分離板の下方に栓回収部を設けたことを特徴とするものである。
【考案の効果】
【０００９】
本考案に係る請求項１記載の試験管栓連続抜き取り装置によれば、ロール状回転体を回転させると、この外周に縦横に突設した突起部の最下部の１列が、トレーの先端側の１列目の試験管に取付けられた栓の上部に挿入され、突起部の先端に突設した爪部の回転により栓が抜き取られて突起部に保持され、この時、トレーも１列分前方に移動する。
【００１０】
更にロール状回転体が回転すると、次の列の突起部が、トレーの２列目の試験管の栓に挿入されて、ここに保持される。ロール状回転体の突起部に保持された栓が上方に回転して栓分離板に達して、突起部がスリットを回転しながら通過しようとすると、スリットの両側のエッジ部が栓のつば部を押し潰して突起部から自動的に外される。従ってトレーを差し込んでロール状回転体を回転させるだけで、トレーの試験管に取付けた栓は１列ずつ順次取り外され、栓回収部で１列ずつ自動的に分離することができる。
【００１１】
また請求項２記載の試験管栓連続抜き取り装置によれば、ロール状回転体の外周に突設した突起部が、角柱状に形成されているので、確実に栓を保持することができる。
【００１２】
また請求項３記載の試験管栓連続抜き取り装置によれば、栓分離板の下方に栓回収部を設けたので、分離した栓を自動的に回収することができる。
【考案を実施するための最良の形態】
【００１３】
以下本考案の実施の一形態を図１ないし図４を参照して詳細に説明する。試験管栓連続抜き取り装置は、図１に示すようにフレーム１２の内側上部に、複数個の突起部１を縦横方向に間隔をおいて整列して突設したロール状回転体１３が回転自在に支持されている。このロール状回転体１３の近傍には櫛歯状の栓分離板１４が傾斜して取付けられ、このロール状回転体１３の下方のフレーム１２の内側にはトレーガイド１５が設けられ、トレー７をガイドするようになっている。
【００１４】
前記フレーム１２は、図３に示すように断面凹形に形成され、上部が開口していると共に、図１に示すように、前後にトレー７が通過する開口部１７Ａ、１７Ｂが形成されている。
【００１５】
また前記ロール状回転体１３は、角柱状をなす複数個の突起部１を縦横方向に間隔をおいて整列して突設し、この突起部の先端には図４に示すようにロール回転方向に爪部１０が突設されている。このロール状回転体１３の回転軸２０は、図２および図３に示すようにその両端が、フレーム１２の内側上部に取付けた軸受２１で支持され、ここを貫通する一方の端部にハンドル２２が取付けられている。
【００１６】
また前記栓分離板１４は図２に示すように、突起部１が通過する間隔でスリット２３が複数個形成された櫛歯状に形成され、図１に示すようにロール状回転体１３のトレー７が侵入する開口部１７Ａ側に傾斜して取付けられている。またこの栓分離板１４の下方には栓９を回収する栓回収部２４が取付けられている。
【００１７】
また前記トレーガイド１５は、侵入側の開口部１７Ａから排出側の開口部１７Ｂに向かって設けた上部ガイドレール２５と、この下方に、上部ガイドレール２５に沿って間隔をおいて配置された複数のガイドローラ２６とから構成されている。
【００１８】
上記構成の試験管栓連続抜き取り装置は、非検査液を入れた試験管８が栓９で密閉された状態で、格子用に縦横に仕切られたトレー７に入れられて検査機関に持ち込まれる。このトレー７を図１に示すように、侵入側の開口部１７Ａからトレーガイド１５に挿入して、その先端がロール状回転体１３に達するまで押し込む。
【００１９】
次にハンドル２２を手で回転させると、ロール状回転体１３の外周に縦横に突設した突起部１の最下部の１列が、トレー７の先端側の１列目の試験管８に取付けられた上面に凹部６を形成した断面Ｕ形の栓９に挿入され、突起部１の先端に突設した爪部１０の回転により試験管８の上部開口部から栓９が抜き取られて、突起部１に保持される。この時、ロール状回転体１３の回転に伴ってトレー７も１列分、自動的に前方に移動させられる。
【００２０】
更にハンドル２２を回転させると、次の列の突起部１が、トレー７の２列目に挿着された試験管８の栓９に挿入され、突起部１の爪部１０の回転により試験管８の上部開口部から栓９が抜き取られて突起部１に保持され、同時にトレー７も１列分、自動的に前方に移動させられる。このようにしてハンドル２２を回転させると、トレー７に挿着した試験管８に取付けられた栓９が１列ずつ順次取外されて突起部１に保持されていく。
【００２１】
ロール状回転体１３の突起部１に保持された栓９が上方に回転して、スリット２３が形成された栓分離板１４に達すると、突起部１がスリット２３を回転しながら通過しようとする。この時、図４（Ａ）に示すように、スリット２３の両側のエッジ部２７が栓９のリング状つば部２８に当接する。更にロール状回転体１３が回転すると、図４（Ｂ）に示すように、つば部２８が押し潰されて栓９が突起部１から外されてくる。更にロール状回転体１３が回転すると、図４（Ｃ）に示すように、つば部２８がエッジ部２７と爪部１０との間に挟まれて立ち上がり、爪部１０から外れると反転して傾斜した栓分離板１４を滑って栓回収部２４に落下する。
【００２２】
従ってトレー７を差し込んでハンドル２２を回転させるだけで、トレー７の試験管８に取付けた栓９は１列ずつ取り外されて突起部１に保持され、栓分離板１４で１列ずつ分離されて自動的に回収される。
【００２３】
なお上記説明ではトレー７が、横１列８本で、これが縦１２列あり、ロール状回転体１３の突起部１は、横１列が８本で、これが放射状に１２列設けてあり、ハンドル２２を１回転させることにより１箱のトレー７内の栓９を全て連続して抜き取ることができる。またこれより列数が多くてもハンドル２２を数回回転させることにより連続して抜き取ることができる。
【００２４】
また上記説明ではロール状回転体１３が、ハンドル２２を手で回転させる手動式の場合について示したが、モータに接続して自動的に抜き取るようにした構造でも良い。また突起部１は、角柱状に形成されたものについて説明したが、円柱状など他の形状でも良い。
【図面の簡単な説明】
【００２５】
【図１】本考案の実施の一形態による試験管栓連続抜き取り装置の縦断側面図である。
【図２】図１の試験管栓連続抜き取り装置を示す平面図である。
【図３】図１の試験管栓連続抜き取り装置を示す正面図である。
【図４】（Ａ）ないし（Ｃ）は突起部に保持された栓が栓分離板で分離される状態を順次示す説明図である。
【図５】従来の試験管栓抜き取り装置を示す正面図である。
【図６】従来の試験管栓抜き取り装置で栓を抜き取っている状態を示す断面図である。
【符号の説明】
【００２６】
１    突起部                                                
７    トレー                                                
８    試験管                                                
９    栓                                                    
１０  爪部                                                  
１２  フレーム                                              
１３  ロール状回転体                                        
１４  栓分離板                                              
１５  トレーガイド                                          
１７Ａ、１７Ｂ  開口部                                      
２０  回転軸                                                
２１  軸受                                                  
２２  ハンドル                                              
２３  スリット                                              
２４  栓回収部                                              
２５  ガイドレール                                          
２６  ガイドローラ                                          
２７  エッジ部  
２８  つば部  
【図１】
0003114579.tif 000003
【図２】
0003114579.tif 000004
【図３】
0003114579.tif 000005
【図４】
0003114579.tif 000006
【図５】
0003114579.tif 000007
【図６】
0003114579.tif 000008